【手続補正書】
【提出日】平成16年8月20日(2004.8.20)
【手続補正１】
【補正対象書類名】明細書
【補正対象項目名】全文
【補正方法】変更
【補正の内容】
【書類名】      明細書
【発明の名称】  収穫機
【特許請求の範囲】
【請求項１】  葉部と根部とからなる作物の収穫機であって、トラクタの後部に装着される収穫機において、
根部を後上方に搬送することで作物を圃場から引き抜く根部搬送装置と、この根部搬送装置よりも上方側に配置されていて葉部を把持して後上方に搬送する葉部搬送装置とを備え、葉部搬送装置はトラクタの一側方側に後方に向かうにしたがって上方に移行する傾斜状に配置され、根部搬送装置は前後方向中途部まで葉部搬送装置に沿うように配置され、且つ中途部において搬送方向がトラクタの左右方向中央部側に移行するように屈曲されており、根部搬送装置と葉部搬送装置との間に、根部搬送装置の屈曲部分よりも前方側で葉部を切断する切断手段を備えていることを特徴とする収穫機。
【請求項２】  根部搬送装置の終端側に、収穫した作物を収容する収容手段を載置する台車が配置されていることを特徴とする請求項１に記載の収穫機。
【請求項３】  台車の前方側にゲージ輪が配置されていることを特徴とする請求項１又は２に記載の収穫機。
【請求項４】  台車は、該台車上の収容手段を後方に向かうにしたがって葉部搬送装置配置側と反対側の側方に移行する斜め方向にダンプ可能に構成されていることを特徴とする請求項１〜３のいずれかに記載の収穫機。
【請求項５】  台車に作業者が配置される配置部が設けられていることを特徴とする請求項１〜４のいずれかに記載の収穫機。
【発明の詳細な説明】
【０００１】
【発明の属する技術分野】
本発明は、大根、人参、玉葱等の根菜類の収穫機に関するものである。
【０００２】
【従来の技術】
従来根菜類の収穫機として、例えば、大根を圃場から引き抜く大根収穫機があり、この収穫機としては、走行体と収穫装置とを一体的に備えている専用機と、トラクタの後部に
着脱自在に装着されるもの（インプル）とがあるが、専用機では大型すぎ、格納等に不便であることから、インプル式のものがよい。
このインプル式の収穫機として、大根の葉部を挟持して後上方に搬送するベルトコンベヤ式の根部搬送装置を備えていて、大根を後上方に搬送することで圃場から大根を引き抜くと共に、根部搬送装置の終端で大根を圃場に放出するようにしたものがある。
【０００３】
【発明が解決しようとする課題】
前記従来のものにあっては、引き抜いた大根をそのままの状態で圃場に放出するようにしているので、圃場に放出した大根を回収した後、出荷するに際して、余分な葉部を除去する作業が必要とされ、この余分な葉部の除去作業は手間がかかり煩雑であるという問題がある。
また、圃場に放出された大根を回収する作業も手間がかかり面倒なものである。
【０００４】
そこで、本発明は前記問題点に鑑みて、作物の引き抜き時に余分な葉部を根部と分離することで収穫後に余分な葉部の除去作業を別途行わなくてもよい収穫機を提供することを主目的とする。
【０００５】
【課題を解決するための手段】
本発明が前記目的を達成するために講じた技術的手段は、葉部と根部とからなる作物の収穫機であって、トラクタの後部に装着される収穫機において、
根部を後上方に搬送することで作物を圃場から引き抜く根部搬送装置と、この根部搬送装置よりも上方側に配置されていて葉部を把持して後上方に搬送する葉部搬送装置とを備え、葉部搬送装置はトラクタの一側方側に後方に向かうにしたがって上方に移行する傾斜状に配置され、根部搬送装置は前後方向中途部まで葉部搬送装置に沿うように配置され、且つ中途部において搬送方向がトラクタの左右方向中央部側に移行するように屈曲されており、根部搬送装置と葉部搬送装置との間に、根部搬送装置の屈曲部分よりも前方側で葉部を切断する切断手段を備えていることを特徴とする。
【０００６】
また、根部搬送装置の終端側に、収穫した作物を収容する収容手段を載置する台車が配置されているのがよい。
また、台車の前方側にゲージ輪が配置されているのがよい。
また、台車は、該台車上の収容手段を後方に向かうにしたがって葉部搬送装置配置側と反対側の側方に移行する斜め方向にダンプ可能に構成されているのがよい。
また、台車に作業者が配置される配置部が設けられているのがよい。
【０００７】
【発明の実施の形態】
以下、本発明の実施の形態を図面に基づいて説明する。
図１〜３において、１は作物（根菜類）の収穫機を示しており、トラクタ２の後部に着脱自在に装着され、作物として大根を収穫するのに使用される。
この収穫機１は、トラクタ２に三点リンク３を介して連結されるメインフレーム４と、大根を引き抜く引抜き装置５と、大根と土とを分離させ大根の抜き取りの容易化を図る掘削装置６と、引き抜いた大根を収容する収容手段７を載置する台車８と、引抜き装置５等の高さを一定に保つゲージ輪９等とを備えてなり、トラクタ２を走行させながら、順次大根を引き抜き、この引き抜いた大根を根部と余分な葉部とに分離し、葉部は圃場に放出すると共に根部は作業者によって台車８上の収容手段７に収容していくようにしたものである。
【０００８】
メインフレーム４は、図４及び図１１等に示すように、パイプ材等で構成されていて左右方向に配置された主枠材１０を有する。この主枠材１０の左側（左右方向一側）には、連結部材１５によって相互に連結された左右一対のロワーリンクブラケット１１と、この
ロワーリンクブラケット１１間の中央部に位置するトップリンクブラケット１２とが固定されており、このロワーリンクブラケット１１に固定のピン１３に三点リンク３のロワーリンク１４の後端側が枢支連結されており、トップリンクブラケット１２に固定のピン１６に三点リンク３のトップリンク１７の後端側が枢支連結されている。
【０００９】
したがって、トラクタ２の車体（ミッションケース）後部に搭載された油圧装置１８のリフトアーム１９を上下に回動させることによって、リフトロッド２０を介して上下揺動され、メインフレーム４が昇降自在とされている。
また、メインフレーム４には、引抜き装置５、掘削装置６、台車８、ゲージ輪９等が連結されており、油圧装置１８によって三点リンク３を介して収穫機１全体が昇降可能とされている。
図１〜３、図６〜８に示すように、引抜き装置５は、圃場に在る大根２２の葉部２２Ｂの基部側を挟持（把持）して根部２２Ａを後上方に搬送することにより大根２２を圃場から引き抜く根部搬送装置２３と、この根部搬送装置２３よりも上方側に配置されていて葉部２２Ｂを挟持（把持）して後上方に搬送する葉部搬送装置２４と、これら根部搬送装置２３と葉部搬送装置２４とを支持する引抜きフレーム２５と、この引抜きフレーム２５に支持されていて根部搬送装置２３によって葉部２２Ａを挟持する前に葉部２２Ｂを引き起こして姿勢を整える引起し装置２６等を備えて主構成されている。
【００１０】
葉部搬送装置２４は、トラクタ２の右側（左右方向他側）の側方（トラクタ２の後輪２１よりも左右方向外方側）に平面視前後方向に略直線状に配置されている。この葉部搬送装置２４は、左右一対の無端状ベルト２７を有し、左右各ベルト２７は、上方に向かうにしたがって前方に移行する傾斜状の軸心回りに回転自在に支持された前後一対のメインプーリ２８Ａ，２８Ｂ間に亘って掛け渡されていて、葉部搬送装置２４が後方に向かうにしたがって上方に移行する傾斜状に配置されている。
【００１１】
左右のベルト２７は左右方向内側部分が相互に接触されていると共に、該内側部分が後方側（図３の矢示Ａ側）に移動するように左右ベルト２７が循環回走されることで、左右ベルト２７間で葉部２２Ｂを挟んで後上方へと移送する（したがって、前端側が始端とされ、後端側が終端とされている）。
なお、前後プーリ２８間には、左右のベルト２７の内側部分（対向部分）を相互に接触させるガイドプーリ２９が、左右のベルト２７の内側部分を挟むように適宜位置に設けられ、これら左右のガイドプーリ２９は左右方向対向状ではなく、搬送方向に位置ズレさせて配置されている。
【００１２】
根部搬送装置２３は、側面視において、葉部搬送装置２４と略同様の傾斜角度で全体として後方に向かうにしたがって上方に移行する傾斜状に配置されている。この根部搬送装置２３も、葉部搬送装置２４と同様に左右一対の無端状ベルト３１を有し、これら左右各ベルト３１は、上方に向かうにしたがって前方に移行する傾斜状の軸心回りに回転自在に支持された前後及び中間のメインプーリ３２Ａ，３２Ｂ，３２Ｃに亘って掛け渡されており、また、左右のベルト２７は左右方向内側部分（対向部分）が相互に接触されていると共に、該内側部分が後方側（図３の矢示Ａ側）に移動するように左右ベルト３１が循環回走されることで、左右ベルト２７間で葉部２２Ｂの基部を挟んで根部２２Ａを後上方へと移送することにより、圃場に在る大根２２が引き抜かれる（したがって、前端側が始端とされ、後端側が終端とされている）。
【００１３】
この根部搬送装置２３の、前側メインプーリ３２Ａから中間メインプーリ３２Ｃ（前部から前後方向中途部）までは、葉部搬送装置２４の下方側に該搬送装置２４に沿って配置されていて、平面視前後方向直線状に配置されている。
また、前側メインプーリ３２Ａは葉部搬送装置２４の前側メインプーリ２８Ａの前方且
つ下方に位置していて、根部搬送装置２３は葉部搬送装置２４から傾斜方向前方側に突出されると共に、前側メインプーリ３２Ａから中間メインプーリ３２Ｃまでの間の後部側は、葉部搬送装置２４の前部側と上下方向において重合状とされている。
【００１４】
また、後側メインプーリ３２Ｂは、葉部搬送装置２４の後側メインプーリ２８Ｂよりもトラクタ２の左右方向中央部寄りに位置していて、根部搬送装置２３は中途部において搬送方向がトラクタ２の左右方向中央部側に徐徐に移行するように屈曲されている（換言すると、根部搬送装置２３の中間メインプーリ３２Ｃから後側メインプーリ３２Ｂまでは、後方に向かうにしたがって上方及び左方（左右方向トラクタ中央部側）に移行するように傾斜状とされている。）
また、前後メインプーリ３２Ａ，３２Ｂ間には、左右のベルト３１の内側部分を相互に接触させるガイドプーリ３３が、左右のベルト３１の内側部分を挟むように適宜位置に設けられ、これら左右のガイドプーリ３３は左右方向対向状ではなく、搬送方向に位置ズレさせて配置されている。
【００１５】
根部搬送装置２３と葉部搬送装置２４の前記重合部分には、該搬送装置２３，２４間に位置する切断手段３４が配置されている。
したがって、根部搬送装置２３で圃場の大根２２が引き抜かれると共に、搬送途中において、根部搬送装置２３による挟持部分と、葉部搬送装置２４による挟持部分との間で葉部２２Ｂが切断手段３４によって切断され、切断後は根部２２Ａと、切断された葉部２２Ｂとは別々のルートで搬送され、すなわち、葉部２２Ｂは葉部搬送装置２４によってそのまま後方に搬送されて、葉部搬送装置２４の終端部で圃場上に放出され、根部２２Ｂは左斜め後方に搬送され、作業者によって台車８上の収容手段７内に収容される。
【００１６】
なお、切断された葉部２２Ｂは、葉部搬送装置２４の終端部において、シュート上又は受け台上に放出されるようにしてもよい。
前記構成のものにあっては、切断された葉部２２Ｂの放出位置と、根部２２Ａの放出位置とが位置ズレしているので、切断された葉部２２Ｂが根部２２Ａの収納作業等の邪魔物とならない。また、根部搬送装置２３の後部が後方に向かうにしたがって左右方向トラクタ中央部側に移行するように傾斜状とされているので、左右方向のバランスがよいという利点がある。
【００１７】
前記切断手段３４は、本実施の形態では、引抜きフレーム２５に取付固定された固定刃で構成されているが、回転刃、往復駆動刃であってもよい。また、切断手段３４は、引抜きフレーム２５に、根部搬送装置２３と葉部搬送装置２４との間で位置調整自在に取付固定されていて、葉部２２Ｂの切断位置が調整自在とされている。
葉部搬送装置２４の終端部において、切断された葉部２２Ｂの放出がし易いように、葉部搬送装置２４の終端側では、左右ベルト２７間に隙間が生じるように構成されている。また、葉部搬送装置２４の終端部において、切断された葉部２２Ｂが後側メインプーリ２８Ｂ等に巻き付くのを防止する巻付き防止部材３６が、葉部搬送装置２４の終端側に設けられている。
【００１８】
また、根部搬送装置２３の前部上方側には、大根２２の葉部２２Ｂの左右両側に位置していて、該葉部２２Ｂの垂れ下がりを防止しながら葉部２２Ｂを根部搬送装置２３及び葉部搬送装置２４の始端側へと案内する左右一対のガイド部材３７が設けられている。
また、根部搬送装置２３の終端側下方には、根部搬送装置２３から放出された大根２２を受ける受け台３８が設けられ、この受け台３８は引抜きフレーム２５に高さ調整可能に取り付けられる。したがって、作業者が根部搬送装置２３から放出された大根２２の受け取りに間に合わない場合は、この受け台３８に大根２２が放出される。
【００１９】
根部搬送装置２３の左右各前側メインプーリ３２Ａの上側には、大根２２の葉部２２Ｂを左右の前側メインプーリ３２Ａ間へと掻き込む掻込ホイール３９が設けられている。
前記根部搬送装置２３は、本実施の形態では、葉部２２Ｂの基部を挟持するように高さ調整されるが、大根２２の生育状態や圃場の状態（地面の凹凸）等によって、根部２２Ａの上部が挟持位置に位置するような場合がある。このような場合に対処するために、前側メインプーリ３２Ａの一方は他方から離反する方向に逃げ得るように構成されていて、大根２２の根部２２Ａの通過が許容可能とされている。また、終端部のガイドプーリ３３及びその他適宜箇所のガイドプーリ３３も大根２２の根部２２Ａの通過を許容するように逃げ得るように構成されている。また、前述した逃げ得るように構成されているプーリはバネによって元の位置に復帰されるように付勢されている。
【００２０】
なお、根部搬送装置２３によって積極的に根部２２Ａを挟持して搬送するようにしてもよい。
引抜きフレーム２５の後部の上部には、伝動ケース４０が設けられており、この伝動ケース４０内には、図９に示すように、根部搬送装置２３の左右各後側メインプーリ３２Ｂと同行回転自在とされた左右一対の第１のプーリ４１と、葉部搬送装置２４の後側メインプーリ２８Ｂと同行回転自在とされた左右一対の第２のプーリ４２と、油圧モータ４３の出力軸に取付固定された駆動プーリ４４と、テンションプーリ４５とが設けられている。
【００２１】
これらプーリ４１，４２，４４，４５には伝動ベルト４６が掛け渡されていて、この伝動ベルト４６を油圧モータ４３によって矢示Ｂ方向に駆動することにより、図６及び図９に示すように、根部搬送装置２３の左右各後側メインプーリ３２Ｂが矢示Ｃ１，Ｃ２方向に回転駆動され、葉部搬送装置２４の後側メインプーリ２８Ｂが矢示Ｄ１，Ｄ２方向に回転駆動されるように構成されている。
前記引起し装置２６は、抜き取る大根２２の左右両側に位置する左右一対の引起し体４７を有し、各引起し体４７は左右一対の支持板５１間に配置された引起しベルト４８を備えている。
【００２２】
この引起しベルト４８は、支持板５１に左右方向の軸心回りに回転自在に支持された上下一対のプーリ４９に亘って掛け渡されたベルト本体４８Ａと、このベルト本体４８Ａから外方に突出するタイン４８Ｂとから主構成されており、後方に向かうにしたがって上方に移行する傾斜状に配置されている。
左右の引起し体４７の上側のプーリ４９は同行回転するように連動されており、左側の引起し体４７の上側のプーリ４９を油圧モータ５０によって回転駆動することにより、左右の引起しベルト４８が、図７及び図８の矢示Ｅ方向に循環回走され、タイン４８Ｂによって大根２２の葉部２２Ｂがすくい上げられて引き起こされる。
【００２３】
左右の各引起し体４７は連結部材５２によって連結され、この連結部材５２に固定の取付ステー５３は、引抜きフレーム２５の前部に固定されたブラケット５４に、引起しベルト４８の傾斜方向に位置調節自在に取り付けられていて、左右の引起し体４７が引抜きフレーム２５に対して引起しベルト４８の傾斜方向に位置調節自在とされている。
左右各引起し体４７の外側の支持板５１の前部側には葉部２２Ｂが絡み付くのを防止するパイプ材からなる絡付き防止体５５が設けられている。
【００２４】
また、支持板５１は上方に向かうにしたがって漸次幅広となるように形成されていて、タイン４８Ｂが、前部側において上方に移動するにつれて支持板５１に徐徐に隠れるように構成されている。
なお、タイン４８Ｂは支持板５１の上部において徐徐に隠れるようになっていればよい。
前記引抜きフレーム２５は、図６及び図７に示すように、メインフレーム４の主枠材１
０に固定のブラケット５６と引抜きフレーム２５に固定のブラケット５７との間に介装された上下一対のリンク５８Ａ，５８Ｂからなる左右一対の平行リンク５８と、主枠材１０に固定のブラケット５９と引抜きフレーム２５に固定のブラケット６０との間に介装された油圧シリンダ６１とによって上下位置調整自在にメインフレーム４の主枠材１０の右側に連結されている。
【００２５】
図４及び図５に示すように、トップリンクブラケット１２の下方側には、トラクタ２のＰＴＯ軸６４に自在継手を備えたドライブシャフトを介して連動連結されるＰＩＣ軸６２が配置され、このＰＩＣ軸６２はメインフレーム４に取付固定された軸受けケース６３に回転自在に支持されており、軸受けケース６３の後部側には伝動ケース６５が固定され、伝動ケース６５の上部には油圧ポンプ６６が設けられている。
伝動ケース６５内にはベルト巻掛け伝動機構６７が収納され、このベルト巻掛け伝動機構６７によってＰＩＣ軸６２から油圧ポンプ６６の入力軸に動力が伝達されて油圧ポンプ６６が駆動され、この油圧ポンプ６６によって前述した油圧機器に圧油が供給される。
【００２６】
掘削装置６は、図１から図５に示すように、メインフレーム４の主枠材１０の下方側に左右方向に配置されたパイプ材等からなる支持フレーム６８と、この支持フレーム６８の右側に取り付けられた掘り取りビーム６９と、支持フレーム６８の左側に取り付けられた抵抗体７０とから主構成されている。
支持フレーム６８には、左右のロワーリンクブラケット１１の外側方に位置するブラケット７２が前方突出状に固定され、このブラケット７２の前部がロワーリンクブラケット１１に枢軸７３を介して左右方向の軸心回りに揺動自在に枢支連結されている。
【００２７】
また、支持フレーム６８には、左右ブラケット７２間に位置する揺動枠７４が後方突出状に固定されており、この揺動枠７４の後端側は前記軸受けケース６３に、枢軸７３の軸心回りに所定範囲揺動可能に支持されている。
掘り取りビーム６９及び抵抗体７０は支持フレーム６８の端部に固定のブラケット７５に上下位置調整可能に取り付けられている。
そして、掘り取りビーム６９及び抵抗体７０の下部を地中に没入させて支持フレーム６８を枢軸７３回りに往復揺動させることにより、掘り取りビーム６９及び抵抗体７０の下部が前後に振動し、掘り取りビーム６９によって大根２２と土との分離が図れ、大根２２の抜き取りが容易となる。
【００２８】
図１〜図３及び図１０に示すように、ゲージ輪９は、台車８の前方で且つ主枠材１０の右側後方に配置されており、支持枠７６に支軸７７を介して左右方向の軸心回りに回転自在に支持されていて、メインフレーム４、引抜き装置５、掘削装置６等を支持して圃場を転動する。
支持枠７６は、主枠材１０に固定されたブラケット７８に支軸７９を介して左右方向の軸心回りに回動自在に枢着されていて、支持枠７６及びゲージ輪９が支軸７９回りに上下揺動自在とされている。
【００２９】
また、その軸心回りの回動によって伸縮自在な調整体８２が、主枠材１０に固定のブラケット８０と支持枠７６に固定のブラケット８１とに亘って介装されており、ハンドル８３を操作して調整体８２を伸縮させることで、支持枠７６及びゲージ輪９が支軸７９回りに上下に揺動し、メインフレーム４と共に引抜き装置５、掘削装置６等が上下動し、これらの高さが調整可能とされている。
なお、前記支持枠７６の側部にはスタンド部材７１Ａ（図２参照）を取付固定するための取付部材７１Ｂが固定されており、このスタンド部材７１Ａと掘り取りビーム６９及び抵抗体７０とで、収穫機１をトラクタ２から離脱させたときに、その姿勢を保持させることができる。
【００３０】
図１、図２、図１１〜図１５に示すように、台車８は、根部搬送装置２３の終端側に位置しており、収容手段７を載置する載置台８４と、この載置台８４を支持する支持フレーム８５と、この載置台８４及び支持フレーム８５を支持して圃場を転動する左右一対の車輪８６とを備えてなり、連結部材８７を介してメインフレーム４に連結されて牽引される。
連結部材８７は、前後方向に配置されていて、前端側が主枠材１０に固定のブラケット８８に支軸８９を介して左右方向の軸心回りに回動自在に且つ着脱自在に枢支連結され、後端側に支持フレーム８５が連結されている。
【００３１】
支持フレーム８５は後方に向かうにしたがって右方（引抜き装置５側）に移行する傾斜状（本実施の形態では前後方向に対して４５°の角度で傾斜）に配置された主枠材９１を備えている。この主枠材９１には、主枠材９１から前方突出状とされると共に連結部材８７後部の左右両側に配置されて該連結枠材８７に連結された左右一対の補強枠材９２が設けられている。
また、支持フレーム８５には、主枠材９１の右端側から前方に向かうにしたがって右方に移行する傾斜方向に突出する第１枠材９３Ａとこの第１枠材９３Ａの前端側と右側の補強枠材９２の前後方向中途部とを連結する第２枠材９３Ｂとから構成された第１の車輪支持枠材９３と、左側の補強枠材９２の前後方向中途部から後方に向かうにしたがって左方に移行する傾斜状に突出され且つ主枠材９１の左端側に固定された第２の車輪支持枠材９４とが備えられている。
【００３２】
第１の車輪支持枠材９３の、第１枠材９３Ａと第２枠材９３Ｂとの連結部分及び第２の車輪支持枠９４の突出端部に、車輪保持部材９６が上下方向の軸心回りに回動自在に支持されており、各車輪保持部材９６に車輪８６が左右方向の軸心回りに回転自在に支持されている。
載置台８４はフレーム９８上に板材を張ってなる。フレーム９８は前後枠部９９，１００と左右側枠部１０１，１０２とから構成された外枠材１０３を有し、前枠部９９の左側部分９９ａは後方に向かうにしたがって左方に移行する傾斜状とされ、後枠部１００の右側部分１００ａは前方に向かうにしたがって左方に傾斜状とされ、左側部分は１００ｂは前方に向かうにしたがって左方に傾斜状とされている。
【００３３】
また、前枠部９９の左側部分９９ａと後枠部１００の右側部分１００ａとは第１連結枠１０４で連結され、この第１連結枠１０４と、前枠部９９と右側枠部１０２との連結部分とは第２連結枠１０５で連結され、第１連結枠１０４と後枠部１００の左側部分１００ｂとは第３連結枠１０６で連結されている。
第１連結枠１０４は後方に向かうにしたがって右方に移行する傾斜状（本実施の形態では前後方向に対して４５°の角度で傾斜）に配置されていて、前記支持フレーム８５の主枠材９１上に載置されている。
【００３４】
主枠材９１には左右一対のブラケット１０７が固定され、第１連結枠１０４には前記ブラケット１０７の近傍に位置するブラケット１０８が固定され、これらブラケット１０７，１０８に亘って支軸１０９が挿通されていて、載置台８４が支持フレーム８５に対して支軸１０９の軸心回りに回動自在に枢着されている。  前記支軸１０９は後方に向かうにしたがって右方に移行する傾斜状（本実施の形態では前後方向に対して４５°の角度で傾斜）の軸心を有し、載置台８４のフレーム９８が支持フレーム８５に接当することで載置台８４の支軸１０９回りの前側への回動が規制されると共に、図１４に仮想線で示すように、前記支軸１０９の軸心回りに後ろ側に向けて載置台８４が傾斜可能とされていて、載置台８４上の収容手段７が、後方に向かうにしたがって左方（葉部搬送装置配置側と反対側の側方）に移行する方向にダンプ可能とされている（なお、台車８には、載置台８４の
後ろ側への回動動作を規制する手段が設けられ、この規制手段は本実施の形態では、支持フレーム８５と載置台８４との間に介装されたガススプリング１１３によって構成されている）。
【００３５】
このように、収容手段７を真後ろに落とすのではなく、左斜め後方（収穫している側とは反対側の斜め後方）に収容手段７を降ろすようにすることで、次の条の大根２２を収穫するのに、降ろした収容手段７が邪魔にならない（したがって、真後ろに収容手段７を降ろすと、次の条の収穫作業の邪魔になる）という効果を奏する。
載置台８４の前部には、該載置台８４の後側への回動を規制するロック装置１１５が設けられている。このロック装置１１５は、図１３に示すように、ロックレバー１１６とロックピン１１７とを有する。
【００３６】
ロックレバー１１６は、下部側が連結部材８７側に固定された支軸１１８に左右方向の軸心回りに回動自在に支持されており、上部には後方側に開放状の係合凹部１１９が形成されている。
ロックピン１１７は載置台８４の前部に固定のブラケット１２０に固定されていて、左右方向に配置されており、このロックピン１１７にロックレバー１１６の係合凹部１１９が嵌合することで、載置台８４の後側への回動が規制されるようになっている。
【００３７】
なお、１２１は、係合凹部１１９がロックピン１１７に係合する方向にロックレバー１１６を付勢するバネであり、１２２は、バネ１２１の付勢力によるロックレバー１１６の回動を規制するストッパであり、１２３は、ロックレバー１１６を操作する操作ハンドルであり、１２４は、係合凹部１１９がロックピン１１７に係合した状態でロックレバー１１６とブラケット１２０とに亘って挿脱自在に挿通されてロックレバー１１６の支軸１１８回りの回動を規制する係止ピンである。
【００３８】
台車８の前方には、前記ゲージ輪９が配置されていて、台車８の車輪８６はゲージ輪９によって鎮圧された跡を通過するので、台車８の走行が安定する（台車８の揺れが少ない）という効果を奏する。
また、台車８には、根部搬送装置２３から放出される大根２２を収容手段７に詰める作業者が位置する配置部１１０が、載置台８４の右側（葉部搬送装置配置側）に配置されている。この配置部１１０を設けることにより、収穫される大根２２の状態や切断された葉部２２Ｂの絡み付き等を監視することができ、例えば、生育不良の大根２２を排除できる。この配置部１１０は座席と１１１とステップ１１２とを備えてなるが、ステップ１１２のみで構成されていてもよい。
【００３９】
また、配置部１１０は載置台８４の前側等に設けてもよく、また、複数設けてもよい。
また、右側の車輪８６は、左側の車輪８６に比して、載置台８４の左右方向中央部からの距離が大とされていて、配置部１１０側に寄せられており、台車８の安定化が図られている。
載置台８４の後枠部１００の左側部分１００ｂには、あおり部材１２６が設けられている。このあおり部材１２６は、図１、図１２、図１４及び図１５に示すように、枠体１２７上に板材１２８を張ってなる。
【００４０】
枠体１２７は一対の側枠材１２９とこれら側枠材１２９を連結する一対の連結部材１３０，１３１とからなり、各側枠材１２９の端部には、一対のブラケット１３２が固定され、ブラケット１３２には長孔１３３が形成されている。
また、後枠部１００の左側部分１００ｂには、該左側部分１００ｂに固定の一対のブラケット１３４を介して、前記長孔１３３を挿通する支軸１３５が設けられている。
このあおり部材１２６は、図１４及び図１５に実線で示す起立状態では、長孔１３３は
上下方向とされ、この長孔１３３の上端部に支軸１３５が位置すると共に、ブラケット１３２の下部が載置台８４に接当していて、あおり部材１２６の支軸１３５回りの回動が規制されている。
【００４１】
この状態から、支軸１３５が長孔１３３の下端側に位置するようにあおり部材１２６を引き上げると、ブラケット１３２の前部下部側が円弧状とされているので、あおり部材１２６の支軸１３５回りの後ろ側への回動が許容される。
そして、図１４及び図１５に仮想線で示すように、あおり部材１２６を、支軸１３５回りに回動させて後ろ側に倒すと、あおり部材１２６側のブラケット１３２に設けた当たり１３６が、載置台８４側に設けたブラケット１３４に設けた当たり１３７に接当した時点で、あおり部材１２６の前記回動が規制されて倒伏状態となり、この倒伏状態において、あおり部材１２６は収容手段７を載置台８４上から降ろす場合のシュートとして機能する。
【００４２】
また、台車８をメインフレーム４に連結する連結部材８７は支軸８９を介して左右方向の軸心回りに回動自在にメインフレーム４に連結されているので、図１１に仮想線で示すように、三点リンク３によってメインフレーム４を上昇させても、連結部材８７，載置台８４及び支持フレーム８５が後ろ下がりに傾斜状態となり、車輪８６は接地したままである。
したがって、掘削装置６の掘り取りビーム６９及び抵抗体７０が地中から抜け出るまでメインフレーム４を上昇させて圃場を移動する際等において、台車８を牽引することができる。このとき、あおり部材１２６を起立状態にしておくことで、台車８上に載置される収容手段７の後方側への移動を規制することができる。
【００４３】
また、前記状態よりもさらにメインフレーム４を上昇させると、図示省略の規制手段によって連結部材８７の支軸８９回りの回動が規制され、台車８６も持ち上げることが可能とされている。
なお、収穫作業時においても、あおり部材１２６を起立状態としておくことが好ましい。
前記収容手段７としては、通常袋が採用されるが、コンテナ等であってもよい。
【００４４】
前記載置台８４の左右両側には、支柱部材１３８が設けられている。この支柱部材１３８は収容手段７として袋が採用される場合、袋の下部側に大根２２がたまってきた場合に、袋に設けたロープ等を引っ掛けることにより、袋の上部を保形させるのに使用されるものである。
前記構成の実施の形態のものにおいて、収穫機１を構成する各構成部材は左右逆に配置してもよい。また、根部搬送装置２３の終端部を、載置台８４の前部上方又は前方側上方に位置させるようにしてもよい。
【００４５】
【発明の効果】
本発明によれば、葉部と根部とからなる作物の収穫機であって、トラクタの後部に装着される収穫機において、根部を後上方に搬送することで作物を圃場から引き抜く根部搬送装置と、この根部搬送装置よりも上方側に配置されていて葉部を把持して後上方に搬送する葉部搬送装置とを備え、葉部搬送装置はトラクタの一側方側に後方に向かうにしたがって上方に移行する傾斜状に配置され、根部搬送装置は前後方向中途部まで葉部搬送装置に沿うように配置され、且つ中途部において搬送方向がトラクタの左右方向中央部側に移行するように屈曲されており、根部搬送装置と葉部搬送装置との間に、根部搬送装置の屈曲部分よりも前方側で葉部を切断する切断手段を備えていることにより、大根の掘り取り作業時において、余分な葉部を根部から分離でき、収穫作業の簡素化が図れると共に、根部搬送装置は前後方向中途部まで葉部搬送装置に沿うように配置され、且つ中途部において
搬送方向がトラクタの左右方向中央部側に移行するように屈曲されているので、葉部を切断した後は、根部と切断された葉部とは別々のルートに分かれて搬送され、根部の放出部に切断された葉部が放出されることがなく、しかも左右方向に関するバランスがよい。
【００４６】
また、根部搬送装置の終端側に、収穫した作物を収容する収容手段を載置する台車を配置することにより、一端圃場に放出した大根を回収するのに比べ、収穫作業を簡素化できる。
また、台車の前方側にゲージ輪を配置することにより、ゲージ輪によって鎮圧された跡を台車が走行するように構成でき、これによって、台車の走行安定化が図れるという効果を奏する。
また、台車上から収容手段をダンプさせ得るように構成する場合、収容手段を真後ろにダンプさせると、次の条の作物を収穫する際において、圃場に降ろした収容手段が収穫作業の邪魔物となるが、台車を、該台車上の収容手段を後方に向かうにしたがって葉部搬送装置配置側と反対側の側方に移行する斜め方向にダンプ可能に構成することにより、次の条の作物を収穫する際において、圃場に降ろした収容手段が収穫作業の邪魔物とならない。
【００４７】
また、台車に作業者が配置される配置部を設けることにより、引き抜いた作物の状態等を監視でき、例えば、不良の作物を収容手段に収容する前に排除できるという効果を奏する。
【図面の簡単な説明】
【図１】
収穫機の全体平面図である。
【図２】
収穫機の全体側面図である。
【図３】
収穫機の主要構成部分の配置を示す平面図である。
【図４】
メインフレーム等の平面図である。
【図５】
掘削装置及び油圧ポンプ等を示す側面図である。
【図６】
引抜き装置の平面図である。
【図７】
引抜き装置の側面図である。
【図８】
引抜き装置の概略側面図である。
【図９】
根部搬送装置と葉部搬送装置の動力伝達系統を示す平面図である。
【図１０】
ゲージ輪の側面図である。
【図１１】
台車等の側面図である。
【図１２】
台車の平面図である。
【図１３】
載置台のロック装置の側面断面図である。
【図１４】
台車の斜め方向からみた側面断面図である。
【図１５】
あおり部材の側面断面図である。
【符号の説明】
１      収穫機
２      トラクタ
７      収容手段
８      台車
９      ゲージ輪
２２      大根（作物）
２２Ａ    根部
２２Ｂ    葉部
２３      根部搬送装置
２４      葉部搬送装置
３４      切断手段
１１０      配置部